(57)【特許請求の範囲】
【請求項１】
対象物に取り付けられる取付具であって、
弾性変形可能な棒状体で形成され、掛け回し可能な形状をなす掛回部と、
前記掛回部の両端部に設けられた一対の係合部と、を備え、
前記掛回部は、互いに対向する、一方の端部側の第１掛回部と、他方の端部側の第２掛回部と、を有し、
一対の前記係合部は、前記第１掛回部の先端側において前記第２掛回部に対向する方向と反対方向に設けられた第１係合部と、前記第２掛回部の先端側において前記第１掛回部に対向する方向と反対方向に設けられた第２係合部と、であり、
前記第１掛回部と前記第２掛回部との間に、前記対象物が配置された状態において、
前記第１掛回部と前記第２掛回部とは、その先端側において、前記第２掛回部が前記第１掛回部の上に配置され、互いに交差され、
前記第１係合部と前記第２係合部とは、前記第２係合部が前記第１係合部の下に配置されることで、前記対象物に係止され、前記第１掛回部と前記第２掛回部とが互いに交差された状態において、互いに重なり係合する取付具。
【請求項２】
前記掛回部は、その中間部分がスプリング形状に形成され、
一対の前記係合部は、前記掛回部の両端部を環状にすることにより形成されている請求項１に記載の取付具。
【発明の詳細な説明】
【技術分野】
【０００１】
本発明は、園芸や農業の分野における植木や草花又は家庭菜園用の栽培植物等の対象物に、園芸用ラベル等の物品を取り付ける場合、対象物を固定する場合、並びに、鞄の吊り手等の対象物に、装飾品等の物品を取り付ける場合に用いられる取付具に関する。
【背景技術】
【０００２】
従来より、園芸や農業の分野における植木や草花、家庭菜園用の栽培植物では、園芸用ラベルと呼ばれるネームプレートを幹や枝に取り付ける場合がある。
【０００３】
このような場合に用いる取付具として、ラベルの目的とする情報が記入されるラベル本体部と、その一端から帯状に延び、取付け対象に巻き付けられる巻付け部を有し、ラベル本体部に巻付け部の端部を差し込むための差込み用切込み部を設けた園芸用ラベルが提案されている（特許文献１参照）。
特許文献１の園芸用ラベルによれば、巻付け部を植物に巻き回し、その端部を差込み用切込み部に差し込むことで、ラベル本体部を植物に取り付けることができる。
【先行技術文献】
【特許文献】
【０００４】
【特許文献１】特開２０１０−０１７１０８号公報
【発明の概要】
【発明が解決しようとする課題】
【０００５】
しかしながら、使用者は、特許文献１に開示された園芸用ラベルを植物に取り付ける場合、一方の手でラベル本体部を押さえながら、他方の手で巻付け部を植物に巻き回し、巻付け部の端部を摘まみ、差込み用切込み部に差し込むこととなる。
【０００６】
ところが、園芸用ラベルを植物に取り付ける場合、例えば、使用者は、一方の手で植物の葉等を押さえながら、植物の枝や幹に園芸用ラベルを取り付けたい場合もある。このような場合、特許文献１に開示された園芸用ラベルは、園芸用ラベルを取り付けるために、両手を使わなければならないので、容易に植物に取り付けることができない。
【０００７】
また、例えば、鞄の吊り手等の対象物に、装飾品等の物品を取り付ける場合に用いられる従来のキーホルダー等の取付具は、物品が取り付けられ一部が開口された環状の本体と、本体の開口を閉鎖する止め具を備え、開口から本体の内部に対象物が挿入され、止め具で本体の開口を塞ぐ。
このような取付具を用いて物品を対象物に取り付ける場合、使用者は、対象物を本体の内部に挿入し、一方の手で本体を押さえながら、他方の手で止め具を操作し、本体の開口を閉鎖することとなる。
このように、従来のキーホルダー等の取付具は、特許文献１に開示された園芸用ラベルと同様に、本体の開口を閉鎖するために、両手を使わなければならないので、容易に対象物に取り付けることができない。
【０００８】
本発明は、片手で容易に対象物に取り付けることが可能な取付具を提供することを目的とする。
【課題を解決するための手段】
【０００９】
（１）  対象物に取り付けられる取付具であって、
弾性変形可能な棒状体で形成され、掛け回し可能な形状をなす掛回部と、
前記掛回部の両端部に設けられた一対の係合部と、を備え、
前記掛回部は、互いに対向する、一方の端部側の第１掛回部と、他方の端部側の第２掛回部と、を有し、
一対の前記係合部は、前記第１掛回部の先端側において前記第２掛回部に対向する方向と反対方向に設けられた第１係合部と、前記第２掛回部の先端側において前記第１掛回部に対向する方向と反対方向に設けられた第２係合部と、であり、
前記第１掛回部と前記第２掛回部との間に、前記対象物が配置された状態において、
前記第１掛回部と前記第２掛回部とは、その先端側において、前記第２掛回部が前記第１掛回部の上に配置され、互いに交差され、
前記第１係合部と前記第２係合部とは、前記第２係合部が前記第１係合部の下に配置されることで、前記対象物に係止される取付具。
【００１０】
（１）の構成によれば、使用者は、以下の手順により、取付具を対象物に係止する。以下の説明では、取付具を正面から視て、左側に第１掛回部が配置され、右側に第２掛回部が配置され、第１掛回部及び第２掛回部が互いに離間可能な状態から、離間できない状態（取付具が対象物に係止された状態）にする手順を説明する。
使用者は、掛回部の第１掛回部と第２掛回部との間に、対象物を配置する。この状態において、使用者は、例えば、右手を使う場合、人差し指親指を第１係合部に添え、親指を第２係合部に添え、第２係合部を第１係合部の上に擦り合わせるように右側から左側に移動させる。そして、使用者は、第１係合部の左側端部において、第２係合部をその右側端部から第１係合部の下に滑り込ませる。
これにより、第１掛回部と第２掛回部とは、第２掛回部が第１掛回部の上に配置されて互いに交差し、第２係合部が第１係合部の下に配置され、第１掛回部と第２掛回部とは互いに離間できない状態（取付具が対象物に係止された状態）となる。このように、使用者は、片手の２本の指だけで、取付具を対象物に係止できる。
よって、片手で容易に対象物に取り付けることが可能な取付具を提供できる。
【００１１】
（２）  前記第１係合部と第２係合部とは、前記第１掛回部と前記第２掛回部とが互いに交差された状態において、互いに重なり係合する（１）に記載の取付具。
【００１２】
（２）の構成によれば、以下の手順により、対象物に係止された取付具を、対象物から取り外す。以下の説明では、取付具を正面から視て、左側に第１掛回部が配置され、右側に第２掛回部が配置され、第２係合部が第１係合部の下に重ねて配置され、第１掛回部及び第２掛回部が互いに離間できない状態（取付具が対象物に係止された状態）から、離間可能な状態（取付具を対象物から取り外すことが可能な状態）にする手順を説明する。
使用者は、例えば、右手を使う場合、親指を第１係合部に添え、人差し指を第２係合部に添え、第１係合部を第２係合部の上に擦り合わせるように左側から右側に移動させる。そして、使用者は、第１係合部の左側端部において、第２係合部をその右側端部から第１係合部の上に押し出す。
これにより、第１掛回部と第２掛回部とは、互いに離間可能な状態（取付具を対象物から取り外すことが可能な状態）となる。
このように、使用者は、片手の２本の指だけで、対象物に係止された取付具を取り外すことができる。
よって、片手で対象物から取り外すことができる取付具を提供できる。
【００１３】
（３）  前記掛回部は、その中間部分がスプリング形状に形成され、
一対の前記係合部は、前記掛回部の両端部を環状にすることにより形成されている（１）又は（２）に記載の取付具。
【００１４】
（３）の構成によれば、係合部は掛回部の両端部を環状にすることで形成され、掛回部の中間部はスプリング形状に形成されている。
これにより、例えば、取付具を、園芸用ラベルを植物に取り付けるために用いた場合、仮に取付具を植物にぶつけてしまっても、両端部が鋭利な状態である場合（例えば、掛回部を形成する針金が切りっぱなしの状態）と異なり、係合部の両端部や掛回部の中間部がクッションとなり、植物を傷つけることがない。
また、掛回部が植物の生長に合わせて伸長するため、植物が傷つくことを防止できる。
【発明の効果】
【００１５】
本発明によれば、片手で容易に対象物に取り付けることが可能な取付具を提供できる。
【図面の簡単な説明】
【００１６】
【図１】本発明の第１実施形態に係る取付具の正面図である。
【図２】第１実施形態に係る取付具の使用状態を示す斜視図である。
【図３】第１実施形態に係る取付具の使用状態において、第２係合部が第１係合部の下に配置された状態を示す斜視図である。
【図４】第１実施形態に係る係合部の係合状態を示す平面図である。
【図５】植物の育成における第１実施形態に係る取付具の使用例を説明する図である。
【図６】第１実施形態の変形例１に係る取付具の使用状態を示す斜視図である。
【図７】第１実施形態の変形例１に係る取付具の使用状態において、第２係合部が第１係合部の下に配置された状態を示す斜視図である。
【図８】第１実施形態の変形例２に係る取付具の使用状態を示す斜視図である。
【図９】第１実施形態の変形例２に係る取付具の使用状態において、第２係合部が第１係合部の下に配置された状態を示す斜視図である。
【図１０】第１実施形態の変形例３に係る取付具の使用状態を示す斜視図である。
【図１１】第１実施形態の変形例３に係る取付具の使用状態において、第２係合部が第１係合部の下に配置された状態を示す斜視図である。
【図１２】本発明の第２実施形態に係る取付具の使用状態を示す斜視図である。
【図１３】第２実施形態に係る取付具の使用状態において、第２係合部が第１係合部の上に配置された状態を示す斜視図である。
【図１４】第２実施形態に係る係合部の係合状態を示す平面図である。
【図１５】植物の育成における第２実施形態に係る取付具の使用例を説明する図である。
【図１６】植物の育成における第２実施形態に係る取付具の使用例を説明する図である。
【発明を実施するための形態】
【００１７】
以下に添付図面を参照して、本発明の実施形態に係る取付具を詳細に説明する。
［第１実施形態］
図１は、本発明の第１実施形態に係る取付具の正面図である。
以下に説明する例では、取付具１ａは、「対象物」の一例である園芸や農業の分野における植木や草花、家庭菜園用の栽培植物の枝や幹に、取り付けられる。
なお、取付具１ａは、植木等の枝や幹に限らず、例えば、鞄の吊り手等の対象物にも、取り付けられる。
【００１８】
第１実施形態に係る取付具１ａは、掛回部１１と、環部１２と、一対の係合部１３と、を備える。
【００１９】
掛回部１１は、弾性変形可能な棒状体で形成され、掛け回し可能な形状をなす。
ここで、「掛け回し可能な形状」とは、例えば、湾曲形状や屈曲形状、螺旋形状、多角形状など、対象物の周面に沿わせられる形状に曲げられて、内方に空間を形成する形状を意味する。また、「掛け回し可能な形状をなす」とは、予め掛回部１１が湾曲形状等に形成されている態様に加え、取付具１ａを対象物に係止させる前は直線形状であり、取付具１ａを対象物に係止させることで、掛回部１１が弾性変形し、湾曲形状に変形する態様も含む意味である。
【００２０】
掛回部１１は、環部１２を挟んで互いに対向する、一方の端部側の第１掛回部１１ａと、他方の端部側の第２掛回部１１ｂと、を有する。
掛回部１１は、１本の線材がその中間がねじられ環部１２が形成され、この環部１２を挟んで、一方側（例えば、図１中Ｌ側）が第１掛回部１１ａとなり、他方側（例えば、図１中Ｒ側）が第２掛回部１１ｂとなる。
【００２１】
第１掛回部１１ａと第２掛回部１１ｂとは、それぞれ第１円弧部１１１と、第２円弧部１１２と、を有する。
第１円弧部１１１は、環部１２側を基端とし、先端側に向かって、第１掛回部１１ａにおいては第２掛回部１１ｂから離れる方向に膨出し、第２掛回部１１ｂにおいては第１掛回部１１ａから離れる方向に膨出する円弧形状に形成されている。
第２円弧部１１２は、第１円弧部１１１の先端に連なり、第１掛回部１１ａにおいては第２掛回部１１ｂの方向に膨出し、第２掛回部１１ｂにおいては第１掛回部１１ａの方向に膨出する円弧形状に形成されている。
【００２２】
環部１２は、掛回部１１が折り曲げられて環状をなしており、この環状部分に、物品（例えば、園芸用ラベル、装飾品等）を取り付けることが可能となっている。
【００２３】
一対の係合部１３は、掛回部１１の両端部に設けられている。
詳細には、一対の係合部１３は、第１係合部１３ａと、第２係合部１３ｂと、である。
本実施形態において、一対の係合部１３は、掛回部１１の両端部を環状にすることにより形成されている。しかしながら、一対の係合部１３は、これに限らず、例えば、掛回部１１とは別に形成した線材を環状に形成した物や、板材を任意の形状に形成した物を、掛回部１１の両端部に、溶接、接着等の任意の方法で固定してもよい。
【００２４】
第１係合部１３ａは、第１掛回部１１ａの先端側において第２掛回部１１ｂに対向する方向と反対方向（図１中Ｌ方向）に設けられている。
具体的には、第１係合部１３ａは、第１掛回部１１ａの先端に連なり、第２掛回部１１ｂに対向する方向と反対方向（図１中Ｌ方向）に延びて、外周が環状に形成され、外周より内側に巻き込む渦巻状に形成されている。
【００２５】
第２係合部１３ｂは、第２掛回部１１ｂの先端側において第１掛回部１１ａに対向する方向と反対方向（図１中Ｒ方向）に設けられている。
具体的には、第２係合部１３ｂは、第２掛回部１１ｂの先端に連なり、第１掛回部１１ａに対向する方向と反対方向（図１中Ｒ方向）に延びて、外周が環状に形成され、外周より内側に巻き込む渦巻状に形成されている。
【００２６】
図２は、第１実施形態に係る取付具の使用状態を示す斜視図である。
図３は、第１実施形態に係る取付具の使用状態において、第２係合部が第１係合部の下に配置された状態を示す斜視図である。
図２に示すように、取付具１ａは、第１掛回部１１ａと第２掛回部１１ｂとの間に、対象物の一例である植物の枝６ａが配置される。
そして、図３に示すように、取付具１ａは、図２に示す状態から、第１掛回部１１ａと第２掛回部１１ｂとの先端側において、第２掛回部１１ｂが第１掛回部１１ａの上に配置され、互いに交差され、第２係合部１３ｂが第１係合部１３ａの下に配置されることで、枝６ａに係止される。
【００２７】
図１に戻って、第１係合部１３ａは、第１掛回部１１ａの第２円弧部１１２における第２掛回部１１ｂの方向に最も膨出する頂部１１２ａにおいて、第１掛回部１１ａに近接している。
また、第２係合部１３ｂは、第２掛回部１１ｂの第２円弧部１１２における第１掛回部１１ａの方向に最も膨出する頂部１１２ａにおいて、第２掛回部１１ｂに近接している。
【００２８】
上記構成により、図３に示す状態において、第１係合部１３ａの外周の左端は、第２掛回部１１ｂにおける第２円弧部１１２の第２係合部１３ｂが近接する部分（第２円弧部１１２が形成する円弧の内側）に当接する。
また、第２係合部１３ｂの外周の右端は、第１掛回部１１ａにおける第２円弧部１１２の第１係合部１３ａが近接する部分（第２円弧部１１２が形成する円弧の内側）に当接する。
これにより、第１係合部１３ａと第２係合部１３ｂとは、第１掛回部１１ａと第２掛回部１１ｂとが互いに交差された状態において、互いに重なり係合する。
【００２９】
図４は、第１実施形態に係る係合部の係合状態を示す平面図である。
図４に示すように、第２係合部１３ｂと第１掛回部１１ａとの接合点Ｐ１１と、第１係合部１３ａと第２掛回部１１ｂとの接合点Ｐ１２とは、相互に重なった第１係合部１３ａ及び第２係合部１３ｂを挟んで対向配置される。
そして、第１実施形態において、接合点Ｐ１１の接線Ｌ１１と、接合点Ｐ１２の接線Ｌ１２とは、平行となる。これにより、接合点Ｐ１１及びＰ１２には、第１掛回部１１ａ及び第２掛回部１１ｂによる弾性力がバランスよく作用する。
【００３０】
なお、第１実施形態において、取付具１ａは、第１係合部１３ａを、第１掛回部１１ａの頂部１１２ａにおいて、第１掛回部１１ａと近接させ、第２係合部１３ｂを、第２掛回部１１ｂの頂部１１２ａにおいて、第２掛回部１１ｂと近接させている。
しかしながら、これに限らず、第１係合部１３ａを、第１掛回部１１ａの頂部１１２ａにおいて、第１掛回部１１ａと離間させ、第２係合部１３ｂを、第２掛回部１１ｂの頂部１１２ａにおいて、第２掛回部１１ｂと離間させてもよい。この場合、第１掛回部１１ａと第２掛回部１１ｂとを、その先端側において交差させたとき、第１掛回部１１ａと第２掛回部１１ｂとが交差する位置は、頂部１１２ａ近傍となる。これにより、第１係合部１３ａは、第２係合部１３ｂの左側（図１中Ｌ側）に配置される。
【００３１】
（使用方法）
次に、図２及び図３を参照して、取付具１ａを、第１掛回部１１ａ及び第２掛回部１１ｂが互いに離間可能な状態から、離間できない状態（取付具１ａが対象物である枝６ａに係止された状態）にする手順を説明する。
使用者は、掛回部１１の第１掛回部１１ａと第２掛回部１１ｂとの間に、枝６ａを配置し、図２に示す状態とする。この状態において、使用者は、例えば、右手を使う場合、人差し指親指を第１係合部１３ａに添え、親指を第２係合部１３ｂに添え、第２係合部１３ｂを第１係合部１３ａの上で互いに擦り合わせるように右側（図２中Ｒ側）から左側（図２中Ｌ側）に移動させる。そして、使用者は、第１係合部１３ａの左側端部において、第２係合部１３ｂをその右側端部から第１係合部１３ａの下に滑り込ませる。
これにより、取付具１ａは、図３に示す状態となり、第１掛回部１１ａと第２掛回部１１ｂとは互いに離間できない状態（取付具が枝６ａに係止された状態）となる。
【００３２】
次に、取付具１ａを、第１掛回部１１ａ及び第２掛回部１１ｂが互いに離間できない状態（取付具１ａが対象物である枝６ａに係止された状態）から、離間可能な状態（取付具１ａを対象物である枝６ａから取り外すことが可能な状態）にする手順を説明する。
使用者は、図３に示す状態の取付具１ａにおいて、例えば、右手を使う場合、親指を第１係合部１３ａに添え、人差し指を第２係合部１３ｂに添え、第１係合部１３ａを第２係合部１３ｂの上に擦り合わせるように左側（図３中Ｌ側）から右側（図３中Ｒ側）に移動させる。そして、使用者は、第１係合部１３ａの左側端部において、第２係合部１３ｂをその右側端部から第１係合部１３ａの上に押し出す。
これにより、取付具１ａは、図２に示す状態となり、第１掛回部１１ａと第２掛回部１１ｂとは、互いに離間可能な状態（取付具を枝６ａから取り外すことが可能な状態）となる。
【００３３】
（使用例）
次に、植物の育成における取付具１ａの使用例を説明する。
図５は、植物の育成における第１実施形態に係る取付具の使用例を説明する図である。なお、ここでは、取付具１ａの使用例について説明するが、後述する各種の取付具についても同様である。
【００３４】
植物の育成において取付具１ａは、図５に示すように、植物６の幹や枝６ａを囲むように、掛回部１１を巻き付けた後、第１係合部１３ａと第２係合部１３ｂとを交差させて、相互に引っ掛けて係合させる。この際、環部１２には、例えば、二重環のリング部材９を装着させた上で、そのリング部材９に対して園芸用ラベル７等を係止させる。
【００３５】
（作用・効果）
第１実施形態に係る取付具１ａによれば、第１掛回部１１ａと第２掛回部１１ｂとは、第２掛回部１１ｂが第１掛回部１１ａの上に配置されて互いに交差し、第２係合部１３ｂが第１係合部１３ａの下に配置され、第１掛回部１１ａと第２掛回部１１ｂとは互いに離間できない状態（取付具が対象物に係止された状態）となる。このように、使用者は、片手の２本の指だけで、取付具１ａを対象物に係止できる。
よって、片手で容易に対象物に取り付けることが可能な取付具１ａを提供できる。
【００３６】
また、取付具１ａによれば、使用者は、片手の２本の指だけで、対象物に係止された取付具１ａを取り外すことができる。
よって、片手で対象物から取り外すことができる取付具１ａを提供できる。
【００３７】
（変形例１）
図６は、第１実施形態の変形例１に係る取付具の使用状態を示す斜視図である。
図７は、第１実施形態の変形例１に係る取付具の使用状態において、第２係合部が第１係合部の下に配置された状態を示す斜視図である。
第１実施形態の変形例１に係る取付具１ｂは、第１係合部１４ａ及び第２係合部１４ｂが、第１実施形態に係る取付具１ａと異なる。なお、以下の変形例の説明において、上述した第１実施形態と同一の構成要素には同一の符号を付し、その機能等は特に言及しない限り同一であり、その説明は省略する。
【００３８】
第１係合部１４ａ及び第２係合部１４ｂは、渦巻状に形成されるとともに、各渦巻状の中心部分が、互いに反対方向に向けて突出するようにドーム状となっている。
このような構成とすることで、取付具１ｂは、図７に示すように、第１係合部１４ａ及び第２係合部１４ｂを相互に引っ掛けて係合させた際、第１係合部１４ａ及び第２係合部１４ｂの内部に所定の空間Ｓが形成される。
【００３９】
変形例１に係る取付具１ｂによれば、例えば、取付具１ｂを装飾品の取付具として使用した場合には、空間Ｓには、宝石等の装飾物５を配置させることができる。また、取付具１ｂを園芸や農業に用いる取付具として使用した場合には、空間Ｓには、固形肥料を配置させることができる。
【００４０】
（変形例２）
図８は、第１実施形態の変形例２に係る取付具の使用状態を示す斜視図である。
図９は、第１実施形態の変形例２に係る取付具の使用状態において、第２係合部が第１係合部の下に配置された状態を示す斜視図である。
第１実施形態の変形例２に係る取付具１ｃは、第１係合部１５ａ及び第２係合部１５ｂが、第１実施形態に係る取付具１ａと異なる。
【００４１】
第１係合部１５ａ及び第２係合部１５ｂは、一部が環状に形成されるとともに、その内部に、正面視で互いに反転した三角形状の部材が配置されている。このような構成とすることで、取付具１ｃは、図９に示すように、第１係合部１５ａ及び第２係合部１５ｂを相互に引っ掛けて係合すると、第１係合部１５ａ及び第２係合部１５ｂの互いに反転した三角形状が重なり合い、正面視で星の形状が表される。
【００４２】
変形例２に係る取付具１ｃによれば、第１係合部１５ａ及び第２係合部１５ｂを係合させることで、所定の形状を表すことができる。
よって、取付具１ｃは、例えば、室内に設置した植物に取り付けた場合でも、インテリアとしての意匠性も高めることができる。また、取付具１ｃは、その高い意匠性により、日用品やキーホルダー、アクセサリーなどの装飾品としても利用可能である。
【００４３】
（変形例３）
図１０は、第１実施形態の変形例３に係る取付具の使用状態を示す斜視図である。
図１１は、第１実施形態の変形例３に係る取付具の使用状態において、第２係合部が第１係合部の下に配置された状態を示す斜視図である。
第１実施形態の変形例３に係る取付具１ｄは、第１係合部１９ａ及び第２係合部１９ｂが、第１実施形態に係る取付具１ａと異なる。
【００４４】
第１係合部１９ａ及び第２係合部１９ｂは、外周部分の一部が螺旋状の部材が形成されているとともに、中心部分には円盤状の部材が形成されている。この円盤状の部材の表面には、図示していないが、例えば、人工石や、天然石などの装飾用の石が貼り付けられるなど各種のデザインを施すことが可能である。
【００４５】
変形例３に係る取付具１ｄによれば、第１係合部１９ａ及び第２係合部１９ｂは、一部に螺旋状の部材を有するとともに中心部において、表面にデザインが施された円盤状の部材を有する。
よって、取付具１ｄは、螺旋状の部材によって係合状態を担保しつつ、円盤状の部材によってインテリアとしての意匠性を高めることができる。
【００４６】
なお、第１係合部及び第２係合部の形状は、第１実施形態、変形例１から３において説明した例に限らない。
即ち、第１係合部及び第２係合部の形状は、第１係合部と第２係合部とを重ねた場合に、第１係合部の外周が第２掛回部１１ｂ（図３参照）の第２円弧部１１２（図３参照）に当接し、第２係合部の外周が第１掛回部１１ａ（図３参照）の第２円弧部１１２（図３参照）に当接すれば、円形状、矩形状又はその他の多角形状等の任意の形状とすることができる。
【００４７】
［第２実施形態］
次に、本発明の第２実施形態に係る取付具２ａについて説明する。
図１２は、本発明の第２実施形態に係る取付具の使用状態を示す斜視図である。
図１３は、第２実施形態に係る取付具の使用状態において、第２係合部が第１係合部の上に配置された状態を示す斜視図である。
第２実施形態に係る取付具２ａは、掛回部１６を伸縮部材で形成した点が、第１実施形態に係る取付具１ａと異なる。
【００４８】
掛回部１６は、伸縮性を有するスプリングで形成されている。なお、このスプリングの巻き数は任意であるが、本実施形態では、巻き数を比較的少なくしており、比較的伸び易くしている。
なお、掛回部１６は、スプリングの巻き数を比較的多くすることで、掛回部１６の強度を比較的大きくすることができる。これにより、例えば、キーホルダー等の比較的重量のある物品を取付具２ａに吊しても、掛回部１６が伸び過ぎてしまうことを防止できる。
【００４９】
そして、この掛回部１６の両端には、相互に引っ掛けることにより係合される一対の係合部１８ａ，１８ｂが形成されている。一対の係合部１８ａ，１８ｂは、全てが螺旋状に形成されている。取付具２ａは、一対の係合部１８ａ，１８ｂが相互に引っ掛けられることで、図１３に示すように、一対の係合部１８ａ，１８ｂが重なり合う。
【００５０】
図１４は、第２実施形態に係る係合部の係合状態を示す平面図である。
図１４に示すように、掛回部１６と、各係合部１８ａ，１８ｂとのそれぞれの接合点Ｐ２１，Ｐ２２は、相互に引っ掛けられた状態の係合部１８ａ，１８ｂ周縁上で、平面視で一致するように配置される。そして、接合点Ｐ２１，Ｐ２２の接線Ｌ２１及び法線Ｌ２２とは一致する。これにより、一対の係合部１８ａ，１８ｂを相互に引っ掛けた際に、伸縮性を有する掛回部１６からの引張力は、係合部１８ａ，１８ｂに作用する。これら引張力は、平面視的に一致された接合点Ｐ２１，Ｐ２２で釣り合う。よって、取付具２ａは、係合部１８ａ，１８ｂの係合状態を適正に保持することができる。
【００５１】
（使用例）
次に、植物の育成における取付具２ａの使用例を説明する。
図１５及び図１６は、植物の育成における第２実施形態に係る取付具の使用例を説明する図である。
取付具２ａは、植物の枝を支柱に止めて所定方向に枝を伸ばす誘引器具としても用いることができる。
即ち、図１５に示すように、使用者は、バラなどの茎６ｂと、この茎６ｂと平行に伸びた支柱８と、を囲むように掛回部１６を巻き付け、そして係合部１８ａ，１８ｂを係合させることで、茎６ｂを支柱８に固定する。
また、図１６に示すように、使用者は、園芸用ラベル７を取り付けた取付具２ａを、トマト６ｅ等の野菜・果物類の茎６ｃを囲うように掛回部１６を巻き付ける。そして、使用者は、係合部１８ａ，１８ｂを係合させることで、野菜・果物類の茎６ｃに園芸用ラベル７を取り付けることができる。
また、使用者は、枝６ｄと支柱８とを囲むように、掛回部１６を巻き付けて、枝６ｄを支柱８に固定してもよい。なお、植物としては、例えば、トマト、ナス、キュウリ、ゴーヤ、ピーマン、ぶどう等の野菜・果実類や、バラ、クレマチスなどの草木など種々の植物が挙げられる。なお、第２実施形態に係る取付具２ａは、第１実施形態のように、園芸用ラベル７を環部１２（図１３参照）に取り付け、図５に示す植物６の枝６ａを囲むように、掛回部１６を巻き付けて、枝６ａに固定してもよい。
【００５２】
（作用・効果）
このような第２実施形態によれば、第１実施形態と同様な効果を奏する。更に、第２実施形態において、掛回部１６は、伸縮性のあるスプリングで形成されているので、例えば、取付具２ａを、園芸用ラベル７を植物に取り付けるために用いた場合、仮に取付具２ａを植物にぶつけてしまっても、係合部１８ａ，１８ｂの両端部や掛回部１６の中間部がクッションとなり、植物を傷つけることがない。
また、掛回部１６が植物の生長に合わせて伸長するため、植物が傷つくことを防止できる。
【００５３】
各実施形態の取付具の寸法は、正面図から見て、例えば、全長１．５〜５cm、幅１．０〜２.５cm程度であり、棒状体及びスプリングの針金の太さは、０．２５mm〜１mm程度、スプリングの巻き数は５０〜１００、巻き径は１．５mm〜５mm程度である。なお、本発明に係る取付具は、上記の寸法に限らず、対象物の大きさや用途に応じて、任意の寸法で形成することができる。
また、取付具は、例えば、プラスチックなどの合成樹脂、防水加工された金属部材、木材などの弾性を有する線材で形成することができる。
【００５４】
なお、本発明は、上記実施形態に限定されるものではなく、本発明の目的を達成できる範囲での変形、改良等は本発明に含まれるものである。
【符号の説明】
【００５５】
Ｌ１１，Ｌ１２，Ｌ２１，…接線
Ｌ２２…法線
Ｐ１１，Ｐ１２，Ｐ２１，Ｐ２２…接合点
１ａ〜１ｄ，２ａ…取付具
５…装飾物
６…植物
６ａ，６ｄ…枝
６ｂ，６ｃ…茎
６ｅ…トマト
７…園芸用ラベル
８…支柱
９…リング部材
１１…掛回部
１１ａ…第１掛回部
１１ｂ…第２掛回部
１２…環部
１３ａ，１４ａ，１５ａ，１９ａ…第１係合部
１３ｂ，１４ｂ，１５ｂ，１９ａ…第２係合部
１６…掛回部
１８ａ，１８ｂ…係合部
【図１】
0005988393.tif 000002
【図２】
0005988393.tif 000003
【図３】
0005988393.tif 000004
【図４】
0005988393.tif 000005
【図５】
0005988393.tif 000006
【図６】
0005988393.tif 000007
【図７】
0005988393.tif 000008
【図８】
0005988393.tif 000009
【図９】
0005988393.tif 000010
【図１０】
0005988393.tif 000011
【図１１】
0005988393.tif 000012
【図１２】
0005988393.tif 000013
【図１３】
0005988393.tif 000014
【図１４】
0005988393.tif 000015
【図１５】
0005988393.tif 000016
【図１６】
0005988393.tif 000017